(57)【要約】  運転者による操縦を必要とする移動手段において、駐停車状態（停止状態）からの発進時に、周囲複数方向についての状況を運転者に提示できるシステムを提供する。全方位カメラと、イグニッション指示検知センサと、ＣＰＵおよびフレームメモリを備えた制御部と、液晶パネルとからなる周囲状況検出システムを構成する。そして、イグニッション指示検知センサによって運転者によるイグニッション指示を検出し、これと同期させて全方位カメラによって車両の周囲全方向の撮影を行う。また、撮影した画像データをフレームメモリに一旦記憶し、記憶した画像データを順次液晶パネルに伝送して、液晶パネルに表示する。
2007519549.tif 000002
【特許請求の範囲】
【請求項１】
運転者による操縦を必要とする移動手段に搭載され、当該移動手段の停止状態における周囲の状況を運転者に提示する周囲状況提示システムにおいて、
上記移動手段の周囲複数方向の画像を撮影する撮影手段と、
上記撮影手段によって撮影された画像を表示する表示手段とを備えている、周囲状況提示システム。
【請求項２】
上記撮影手段は、上記移動手段から見て全方位の画像を撮影する請求の範囲第１項に記載の周囲状況提示システム。
【請求項３】
運転者による上記移動手段に対するイグニッション指示を検知するイグニッション指示検知センサを備え、
上記イグニッション指示に同期して、上記撮影手段による撮影を行う請求の範囲第１項または第２項に記載の周囲状況提示システム。
【請求項４】
ドアの開錠を検知するドア開錠センサを備え、
ドアの開錠に同期して、上記撮影手段による撮影を行う請求の範囲第１項または第２項に記載の周囲状況提示システム。
【請求項５】
ドアの開閉を検知するドア開閉センサを備え、
ドアの開閉に同期して、上記撮影手段による撮影を行う請求の範囲第１項または第２項に記載の周囲状況提示システム。
【請求項６】
上記撮影手段によって撮影した画像の画像データを記憶するフレームメモリと、運転者による上記移動手段に対するイグニッション指示を検知するイグニッション指示検知センサとを備え、
上記撮影手段によって撮影した画像の画像データを上記フレームメモリに記憶させるとともに、
上記イグニッション指示を検知した場合に、上記フレームメモリに記憶させた画像データのうち最新の画像データを上記表示手段に表示させる請求の範囲第４項または第５項に記載の周囲状況提示システム。
【請求項７】
運転者による上記移動手段に対するイグニッション指示を検知するイグニッション指示検知センサとを備え、
上記イグニッション指示を検知した場合に、上記撮影手段によって撮影した画像を上記表示手段に表示させる請求の範囲第４項または第５項に記載の周囲状況提示システム。
【請求項８】
運転者による操縦を必要とする移動手段の、停止状態における周囲の状況を運転者に提示する周囲状況提示方法において、
上記移動手段の周囲複数方向の画像を撮影する撮影工程と、
上記撮影工程において撮影した画像データを表示する表示工程とを含む、周囲状況提示方法。
【請求項９】
運転者による操縦を必要とする移動手段に搭載され、当該移動手段の停止状態における周囲の状況を運転者に提示する周囲状況提示システムを制御する周囲状況提示システム制御方法であって、
上記移動手段の周囲複数方向の画像を撮影する撮影手段による撮影を開始させる撮影開始処理と、
上記撮影手段によって撮影された画像データの表示手段への表示を開始させる表示開始処理とを含む周囲状況提示システム制御方法。
【請求項１０】
運転者による上記移動手段に対するイグニッション指示を検知する処理をさらに含み、
上記イグニッション指示に同期して上記撮影開始処理と上記表示開始処理とを実行する請求の範囲第９項に記載の周囲状況提示システム制御方法。
【請求項１１】
ドアの開錠を検知する処理と、
運転者による上記移動手段に対するイグニッション指示を検知する処理とをさらに含み、
ドアの開錠に同期して上記撮影開始処理を実行し、
上記イグニッション指示に同期して上記表示開始処理を実行する請求の範囲第９項に記載の周囲状況提示システム制御方法。
【請求項１２】
ドアの開閉を検知する処理と、
運転者による上記移動手段に対するイグニッション指示を検知する処理とをさらに含み、
ドアの開閉に同期して上記撮影開始処理を実行し、
上記イグニッション指示に同期して上記表示開始処理を実行する請求の範囲第９項に記載の周囲状況提示システム制御方法。
【請求項１３】
請求の範囲第９項から第１２項の何れか１項に記載の周囲状況提示システム制御方法をコンピュータによって実行させるための周囲状況提示システム制御プログラムであって、上記各処理をコンピュータに実行させる周囲状況提示システム制御プログラム。
【請求項１４】
請求の範囲第１３項に記載の周囲状況提示システム制御プログラムを記録したコンピュータ読み取り可能な記録媒体。
【発明の詳細な説明】
【技術分野】
【０００１】
本発明は、車両等の移動手段に搭載され、駐停車状態（停止状態）からの発進時に、車両周辺の状況を運転者に提示するシステムに関するものである。
【背景技術】
【０００２】
従来より、所望の駐車区画に車両を駐車させるための支援装置が種々提案されている。例えば、後進（バック）時に車両の後方画像を表示する技術などが実現されている。また、特許文献１では、車両を駐車区画に誘導するために、運転者に対して操舵角などの運転操作量を教示する駐車支援装置が記載されている。
【特許文献１】特開２０００−７２０１９号公報（公開日：２０００年３月７日）
【発明の開示】
【発明が解決しようとする課題】
【０００３】
しかしながら、上記従来の技術において運転者に情報を提示できるのは、後進による駐車時に限られる。すなわち、上記従来の技術では、車両後方の画像の表示、あるいは、車両後方の画像に基づいた駐車支援しか行えない。
【０００４】
一方、駐停車状態からの発進時には、車両後方のみならず、あらゆる方向の安全確認を行う必要がある。ところが、従来の技術では、運転者に車両後方の画像しか提供できないので、発進時に運転者に提供すべき情報が、必ずしも十分ではない。車両の後方以外にも、車の形状や駐停車位置によっては、運転者から死角となり、目視確認が困難な位置があるからである。
【０００５】
本発明は、上記の問題点に鑑みてなされたものであり、その目的は、運転者による操縦を必要とする移動手段において、駐停車状態（停止状態）からの発進時に、周囲複数方向についての状況を運転者に提示できるシステムを提供することにある。
【課題を解決するための手段】
【０００６】
本発明の周囲状況提示システムは、上記の課題を解決するために、運転者による操縦を必要とする移動手段に搭載され、当該移動手段の停止状態における周囲の状況を運転者に提示する周囲状況提示システムにおいて、上記移動手段の周囲複数方向の画像を撮影する撮影手段と、上記撮影手段によって撮影された画像データを表示する表示手段とを備えていることを特徴としている。
【０００７】
上記の構成によれば、上記移動手段の周囲複数方向の画像を撮影し、撮影した画像データを表示する。これにより、運転者は、当該移動手段の周囲の状況を的確に把握することができる。したがって、運転者は、上記移動手段の停止状態からの発進を、円滑かつ安全に行うことができる。
【０００８】
また、上記撮影手段は、上記移動手段から見て全方位の画像を撮影するものであってもよい。この場合、運転者は、上記移動手段から見て全方位の状況を的確に把握できる。これにより、上記移動手段の停止状態からの発進を、より円滑かつ安全におこなうことができる。
【０００９】
また、上記した構成に加えて、運転者による上記移動手段に対するイグニッション指示を検知するイグニッション指示検知センサを備え、上記イグニッション指示に同期して、上記撮影手段による撮影を行うようにしてもよい。
【００１０】
この場合、運転者によるイグニッション指示に同期して撮影を行う。これにより、当該周囲状況提示システムの動作期間を短縮することができ、消費電力を低減できる。また、イグニッション指示に同期して撮影した画像を、上記表示手段に順次表示させることにより、運転者は最新の周囲状況を把握することができる。
【００１１】
また、上記の構成に代えて、本発明の周囲状況提示システムは、ドアの開錠を検知するドア開錠センサを備え、ドアの開錠に同期して、上記撮影手段による撮影を行うようにしてもよい。あるいは、ドアの開閉を検知するドア開閉センサを備え、ドアの開閉に同期して、上記撮影手段による撮影を行うようにしてもよい。
【００１２】
これらの構成によれば、ドアの開錠、あるいはドアの開閉に同期して撮影を開始する。これにより、運転者が運転席に付く前に撮影を開始することができる。このため、例えば、運転者が運転席に付き、周囲状況を確認できる状態となるまでに、周囲状況の確認に必要な画像データを準備することができる。すなわち、運転者が、上記移動手段の発進作業を行う際に、即座に周囲状況を確認できる。
【００１３】
また、上記の構成において、本発明の周囲状況提示システムは、上記撮影手段によって撮影した画像データを記憶するフレームメモリと、運転者による上記移動手段に対するイグニッション指示を検知するイグニッション指示検知センサとを備え、上記撮影手段によって撮影した画像データを上記フレームメモリに記憶させるとともに、上記イグニッション指示を検知した場合に、上記フレームメモリに記憶させた画像データのうち最新の画像データを上記表示手段に表示させるようにしてもよい。
【００１４】
この場合、運転者は、上記移動手段の発進作業を行う際に、最新の周囲状況を即座に確認できる。
【００１５】
本発明の周囲状況提示方法は、上記の課題を解決するために、運転者による操縦を必要とする移動手段の、停止状態における周囲の状況を運転者に提示する周囲状況提示方法において、上記移動手段の周囲複数方向の画像を撮影する撮影工程と、上記撮影工程において撮影した画像データを表示する表示工程とを含むことを特徴としている。
【００１６】
上記の方法によれば、上記移動手段の周囲複数方向の画像を撮影し、撮影した画像データを表示する。これにより、運転者は、当該移動手段の周囲の状況を的確に把握することができる。したがって、運転者は、上記移動手段の停止状態からの発進を、円滑かつ安全に行うことができる。
【００１７】
本発明のさらに他の目的、特徴、および優れた点は、以下に示す記載によって十分わかるであろう。また、本発明の利益は、添付図面を参照した次の説明で明白になるであろう。
【発明の効果】
【００１８】
以上のように、本発明の周囲状況提示システムは、上記移動手段の周囲複数方向の画像を撮影する撮影手段と、上記撮影手段によって撮影された画像データを表示する表示手段とを備えている。
【００１９】
それゆえ、上記移動手段の周囲複数方向の画像を撮影し、撮影した画像データを表示するので、運転者は、当該移動手段の周囲の状況を的確に把握することができる。したがって、運転者は、上記移動手段の停止状態からの発進を、円滑かつ安全に行うことができる。
【００２０】
また、本発明の周囲状況提示方法は、上記移動手段の周囲複数方向の画像を撮影する撮影手段と、上記撮影手段によって撮影された画像データを表示する表示手段とを備えている。
【００２１】
それゆえ、上記移動手段の周囲複数方向の画像を撮影し、撮影した画像データを表示するので、運転者は、当該移動手段の周囲の状況を的確に把握することができ、上記移動手段の停止状態からの発進を、円滑かつ安全に行うことができる。
【発明を実施するための最良の形態】
【００２２】
本発明の一実施の形態について説明する。
【００２３】
図１は、本実施の形態にかかる周囲状況提示システム（本システム）の概略構成を示すブロック図である。本システムは、車両（移動手段）に搭載され、駐停車状態（停止状態）からの発進時に、車両周囲の状況を運転者に提示するようになっている。これによって、運転者が駐停車状態からの車両の発進操作をより安全に行えるように支援するものである。
【００２４】
図１に示すように、本システムは、全方位カメラ１、イグニッション指示検知センサ２、速度センサ３、ドア開閉センサ４、パーキングブレーキセンサ５、制御部６、液晶パネル（表示装置）７からなる。なお、制御部６は、ＣＰＵ１０、フレームメモリ１１を含む。
【００２５】
全方位カメラ１は、車両周囲の全方位（地表面に略垂直な方向を軸とする３６０度）の画像を撮影するためのものである。なお、本システムでは、全方位カメラ１として、全方位の画像を瞬時に撮影可能なものを用いている。
【００２６】
全方位カメラ１の一例について、図６を参照して説明する。この図に示すように、全方位カメラ１は、カメラ２４、凸面鏡２３、ケーシング２１、ケーシング２１の一部をなすカバー部材２２によって構成されている。
【００２７】
ケーシング２１は、略円筒形の形状からなる。そして、ケーシング２１の側壁のうち所定長さ部位は、その全周に渡って透明なカバー部材２２によって構成されている。ケーシング２１内には、カバー部材２２の高さ位置に対応して、反射鏡としての凸面鏡２３が配置されている。この凸面鏡２３の表面は、所定の凸線を光軸となる所定軸線（ケーシング２１の上下方向軸線）回りに回転させて得られる凸型回転体の表面となる。上記凸線としては、例えば、円弧線、双曲線、放物線等がある。凸面鏡２３は、全体的に下方に向けて凸となるように配設されており、カバー部材２２を通して入射される外部からの光が、下方へ向けて反射されるように設定されている。
【００２８】
ケーシング２１内には、凸面鏡２３の下方において、ＣＣＤあるいはＣＭＯＳ（Complementary Metal-Oxide Semiconductor）イメージセンサ等の撮像装置としてのカメラ２４が配置されている。このカメラ２４は、凸面鏡２３で反射された外部からの光が入射されて、入射された光に対応した電気信号を出力する。図６の場合、反射鏡の全周囲が凸となった凸面鏡２３である。これにより、水平方向からみたときに、全方位つまり３６０度の周囲を撮像可能となっている。なお、全方位カメラは、通常は１８０度以上の広角で撮像できるものをいうが、本明細書における全方位カメラは、この角度に限定されるものではない。
【００２９】
全方位カメラ１の搭載位置としては、図７（ａ）及び図７（ｂ）に示す配置が例として挙げられる。なお、図７（ａ）および図７（ｂ）において、破線はカメラが撮影可能な角度の限界を示している。
【００３０】
図７（ａ）は、全方位カメラ１を、屋根の上に取り付けた例である。死角が生じることを防止するために前後左右の四方に取り付けている。屋根に取り付けることにより運転中に他の物と接触し難いため、カメラの角度が変わらないというメリットがある。
【００３１】
また、図７（ｂ）は、車両の前方助手席側の端部に、車両前方を撮影する全方位カメラ１及び助手席側側方を撮影する全方位カメラ１が備えられている。また、前方運転席側の端部に運転席側側方を撮影する全方位カメラ１が備えられている。さらには、後方運転席側の端部に後方を撮影する全方位カメラ１が備えられている。この場合、自車の車体によって死角が生じることを確実に防止できる。
【００３２】
イグニッション指示検知センサ２は、運転者がイグニッションキーを挿入し、キーを回すことによってエンジンの起動指示を行ったことを検知するものである。速度センサ３は、当該車両の速度を検知するものである。ドア開閉センサ４は、ドアの開閉状態を検知するものである。パーキングブレーキセンサ５は、パーキングブレーキが解除状態にあるか否かを検知するものである。
【００３３】
液晶パネル７は、全方位カメラ１によって撮影された画像や、各センサ２〜５から得られた情報などを表示する表示手段である。なお、本システムにおける液晶パネル７は、アスペクト比（表示領域の横と縦の比）が７：３以上という超ワイド画面を備えている。このため、速度計、エンジン回転数計、燃料残量計などの計器表示と、全方位カメラ１によって撮影した画像とを、同時に表示することが可能である。
【００３４】
図２は、液晶パネル７の表示内容の一例を示す説明図である。この図に示す例では、速度計と、速度計の中央部（速度計に近接する位置）に表示された自車の画像を含む車両状態を示す画像と、全方位カメラ１によって撮影した自車周囲の画像とが表示されている。なお、上記の自車を含む車両周囲の状況は、全方位カメラ１によって撮影した画像データとは異なり、図示しない画像用ＤＢ（データベース）にあらかじめ記録された自車および車両状態を示すグラフィック画像（ビットマップデータ）からなる。また、表示される車両状態とは、当該車両に搭載された各種センサによって検出された結果である。例えば、ドア開閉センサ４の検知結果などが、自車の画像とともに表示される。
【００３５】
制御部６は、ＣＰＵ１０とフレームメモリ１１とを含む。ＣＰＵ１０は、本システムの全ての動作を制御する、本システムの中枢部である。すなわち、ＣＰＵ１０は、イグニッションキーがＯＮされるのと同期して、本システムを起動させ、各センサ２〜５の検出結果等に基づいたタイミングで全方位カメラ１による撮影および撮影した画像の表示を行う。フレームメモリ１１は、全方位カメラ１によって撮影した画像データを一旦記憶しておくものである。
【００３６】
ここで、本システムにおける処理の流れを説明する。図３は、本システムにおける処理の流れを示すフロー図である。
【００３７】
この図に示すように、本システムは、エンジンが起動されていない駐停車時には、イグニッションキーがＯＮにされることを監視している（Ｓ１）。すなわち、ＣＰＵ１０は、エンジンが起動されていない駐停車時には、イグニッションキーがＯＮにされることを、イグニッション指示検知センサ２を介して監視している。
【００３８】
そして、イグニッション指示検知センサ２によってイグニッションキーがＯＮにされたことを検知すると、ＣＰＵ１０は、本システムを起動する（Ｓ２）。すなわち、本システムの電源をＯＮにする。なお、本システムの電源は、当該車両におけるエンジン起動用バッテリーから供給される。
【００３９】
次に、ＣＰＵ１０は、全方位カメラ１を制御し、全方位の撮影を行わせる（Ｓ３）。さらに、ＣＰＵ１０は、全方位カメラ１によって撮影された画像データを、液晶パネル７による表示に適した状態に変換してフレームメモリ１１に伝送し、一旦記憶させる（Ｓ４）。
【００４０】
次に、ＣＰＵ１０は、液晶パネル７の電源をＯＮにする（Ｓ６）。ただし、以降に説明するように、本システムでは、車両の速度が１０ｋｍ／ｈに達するまで全方位カメラ１による撮影および撮影した画像の表示を繰り返すようになっている。このため、すでに液晶パネル７の電源がＯＮにされている場合には、Ｓ６の処理は省略する（Ｓ５）。
【００４１】
次に、ＣＰＵ１０は、フレームメモリ１１に記憶されている画像データを、液晶パネル７へ順次伝送させる（Ｓ７）。これにより、液晶パネル７には、全方位カメラ１によって撮影された画像が表示される（Ｓ８）。なお、本システムでは、全方位カメラ１によって撮影した画像について、車両を中心とする所定の角度分の画像を液晶パネル７に表示するとともに、表示する画像の角度（撮影方向の角度）を連続的に変化させる。これにより、車両周囲の状況を、車両を中心として３６０度回転させながら確認できるようになっている。このため、運転者は、全方位の画像およびその撮影方向を容易に確認することができる。
【００４２】
また、この際、ＣＰＵ１０は、速度センサ３を介して当該車両の速度を監視している（Ｓ９）。そして、当該車両の速度が１０ｋｍ／ｈ未満の場合、ＣＰＵ１０は、運転者による発進作業が完了していないものと判断し、Ｓ３からの作業を繰り返す。すなわち、全方位カメラ１による撮影を継続させ、撮影したデータを液晶パネル７に順次表示させる。これにより、液晶パネル７には、常に最新の画像情報が表示される。
【００４３】
一方、Ｓ９において、当該車両の速度が１０ｋｍ／ｈ以上に達した場合、ＣＰＵ１０は、運転者による発進作業が完了したものと判断し、全方位カメラ１の動作を停止する（Ｓ１０）。そして、ＣＰＵ１０は、通常走行時に適した画像情報を液晶パネル７に表示させる（Ｓ１１）。ここで、通常走行時に適した画像情報とは、例えば、速度計、エンジン回転数計、燃料残量計などの計器類の表示、およびナビゲーション情報の表示などである。
【００４４】
また、通常走行時の画像表示を行っている間、ＣＰＵ１０は、イグニッション指示検知センサ２を介してイグニッションキーがＯＦＦにされたか否かを監視している（Ｓ１２）。そして、イグニッションキーがＯＮにされている間は、Ｓ１１の動作、すなわち、通常走行時に適した画像情報の表示を継続させる。一方、イグニッションキーがＯＦＦにされると、ＣＰＵ１０は、液晶パネル７の電源をＯＦＦにする（Ｓ１３）とともに、本システムの電源をＯＦＦにする（Ｓ１４）。これにより、本システムの動作が終了する。
【００４５】
以上のように、本システムでは、車両を駐停車している状態から発進させる場合に、全方位の画像を運転者に提示する。これにより、運転者は、例えば目視確認が困難な位置あるいは目視確認が困難な方向の状況についても、全方位カメラ１で撮影した画像によって確認できる。すなわち、本システムを車両に備えることにより、運転者は、発進時における車両周囲の安全確認を、簡便かつ効果的に行うことができ、駐停車状態からの発進操作（運転）を、より安全に行うことができる。
【００４６】
なお、本システムは、イグニッションキーがＯＮにされたとき起動するものとしたが、本システムを起動するタイミングはこれに限るものではない。例えば、運転席のドアの開錠を検知するドア開錠センサ（図示せず）を設け、ドアが開錠されたときに本システムを起動するようにしてもよい。図４は、このような構成からなる本システムの動作の一例を示すフロー図である。
【００４７】
図４に示すように、ＣＰＵ１０は、エンジンが起動されていない駐停車時には、ドアが開錠されることを、ドア開錠センサを介して監視している（Ｓ２１）。なお、この開錠は、キーを挿入することによって行われるものであっても、キーレスエントリーシステムによって行われるものであってもよい。
【００４８】
そして、ドア開錠センサによってドアが開錠されたことを検知すると、ＣＰＵ１０は、本システムを起動する（Ｓ２２）。
【００４９】
次に、ＣＰＵ１０は、全方位カメラ１を制御し、全方位の撮影を行わせる（Ｓ
２３）。さらに、ＣＰＵ１０は、全方位カメラ１によって撮影された画像データを、液晶パネル７による表示に適した状態に変換してフレームメモリ１１に伝送し、一旦記憶させる（Ｓ２４）。
【００５０】
ここで、ＣＰＵ１０は、イグニッションキーがＯＮにされることを、イグニッション指示検知センサ２を介して監視している（Ｓ２５）。そして、イグニッションキーがＯＮにされるまで、Ｓ２３およびＳ２４の処理を繰り返す。
【００５１】
一方、Ｓ２５において、イグニッションキーがＯＮにされた場合、ＣＰＵ１０は、液晶パネル７の電源をＯＮにする（Ｓ２７）。ただし、以降に説明するように、本システムでは、車両の速度が１０ｋｍ／ｈに達するまで全方位カメラ１による撮影および撮影した画像の表示を繰り返すようになっている。このため、すでに液晶パネル７の電源がＯＮにされている場合には、Ｓ２７の処理は省略する（Ｓ２６）。
【００５２】
次に、ＣＰＵ１０は、フレームメモリ１１に記憶されている画像データのうち最新の画像データを、液晶パネル７へ順次伝送させる（Ｓ２８）。これにより、液晶パネル７には、全方位カメラ１によって撮影された画像のうち、最新の画像が表示される（Ｓ２９）。
【００５３】
また、この際、ＣＰＵ１０は、速度センサ３を介して当該車両の速度を監視している（Ｓ３０）。そして、当該車両の速度が１０ｋｍ／ｈ未満の場合、ＣＰＵ１０は、運転者による発進作業が完了していないものと判断し、Ｓ２３からの作業を繰り返す。すなわち、全方位カメラ１による撮影を継続させ、撮影したデータを液晶パネル７に順次表示させる。これにより、液晶パネル７には、常に最新の画像情報が表示される。
【００５４】
一方、Ｓ３０において、当該車両の速度が１０ｋｍ／ｈ以上に達した場合、ＣＰＵ１０は、運転者による発進作業が完了したものと判断する。そして、図３のＳ１０〜Ｓ１２と同様の処理を行い（Ｓ３１）、本システムの動作を終了する。
【００５５】
また、例えば、運転席のドアが開閉された時、すなわち、運転席のドアが開けられた後、このドアが閉められた場合に、本システムを起動するようにしてもよい。図５は、このような場合における本システムの動作の一例を示すフロー図である。
【００５６】
図５において、ＣＰＵ１０は、エンジンが起動されていない駐停車時には、運転席のドアが開閉されることを監視している（Ｓ４１）。すなわち、ＣＰＵ１０は、エンジンが起動されていない駐停車時には、ドアが開閉されることを、ドア開閉センサ４を介して監視している。
【００５７】
そして、ドア開閉センサ４によってドアが開閉されたことを検知すると、ＣＰＵ１０は、本システムを起動する（Ｓ４２）。
【００５８】
次に、ＣＰＵ１０は、全方位カメラ１を制御し、全方位の撮影を行わせる（Ｓ４３）。さらに、ＣＰＵ１０は、全方位カメラ１によって撮影された画像データを、液晶パネル７による表示に適した状態に変換してフレームメモリ１１に伝送し、一旦記憶させる（Ｓ４４）。
【００５９】
ここで、ＣＰＵ１０は、イグニッションキーがＯＮにされることを、イグニッション指示検知センサ２を介して監視している（Ｓ４５）。そして、イグニッションキーがＯＮにされていない場合、運転席のドアが再び開閉され、閉錠されていないかを判断する（Ｓ５５）。そして、運転席のドアの開閉および閉錠が行われていない場合には、Ｓ４３からの処理を繰り返す。これに対して、運転席のドアの開閉および閉錠が行われた場合には、本システムの電源をＯＦＦにし（Ｓ５６）、動作を終了する。
【００６０】
一方、Ｓ４５において、イグニッションキーがＯＮにされた場合、ＣＰＵ１０は、液晶パネル７の電源をＯＮにする（Ｓ４７）。ただし、以降に説明するように、本システムでは、車両の速度が１０ｋｍ／ｈに達するまで全方位カメラ１による撮影および撮影した画像の表示を繰り返すようになっている。このため、すでに液晶パネル７の電源がＯＮにされている場合には、Ｓ４７の処理は省略する（Ｓ４６）。
【００６１】
次に、ＣＰＵ１０は、フレームメモリ１１に記憶されている画像データのうち最新の画像データを、液晶パネル７へ順次伝送させる（Ｓ４８）。これにより、液晶パネル７には、全方位カメラ１によって撮影された画像のうち、最新の画像が表示される（Ｓ４９）。
【００６２】
また、この際、ＣＰＵ１０は、速度センサ３を介して当該車両の速度を監視している（Ｓ５０）。そして、当該車両の速度が１０ｋｍ／ｈ未満の場合、ＣＰＵ１０は、運転者による発進作業が完了していないものと判断し、Ｓ４３からの作業を繰り返す。すなわち、全方位カメラ１による撮影を継続させ、撮影したデータを液晶パネル７に順次表示させる。これにより、液晶パネル７には、常に最新の画像情報が表示される。
【００６３】
一方、Ｓ５０において、当該車両の速度が１０ｋｍ／ｈ以上に達した場合、ＣＰＵ１０は、運転者による発進作業が完了したものと判断し、全方位カメラ１の動作を停止させる（Ｓ５１）。そして、ＣＰＵ１０は、通常走行時に適した画像情報を液晶パネル７に表示させる（Ｓ５２）。
【００６４】
また、通常走行時の画像表示を行っている間、ＣＰＵ１０は、イグニッション指示検知センサ２を介してイグニッションキーがＯＦＦにされたか否かを監視している（Ｓ５３）。そして、イグニッションキーがＯＮにされている間は、Ｓ５２の動作、すなわち、通常走行時に適した画像情報の表示を継続させる。
【００６５】
一方、イグニッションキーがＯＦＦにされると、ＣＰＵ１０は、液晶パネル７の電源をＯＦＦにし（Ｓ５４）、運転席のドアが開閉された後、閉錠されることを待機する（Ｓ５５）。そして、運転席のドアが開閉され、閉錠されるまで、Ｓ４３からの処理を継続する。
【００６６】
一方、運転席のドアが開閉され、閉錠された場合、本システムの電源をＯＦＦにし（Ｓ５６）、動作を終了する。
【００６７】
以上のように、本システムは、運転席ドアの開錠、あるいは運転席ドアの開閉に同期して全方位カメラ１による撮影を開始する。これにより、運転者がイグニッションキーをＯＮにした後、即座に車両周囲の状況を液晶パネル７に表示させることができる。このため、運転者が、車両周囲の状況確認に必要とする時間を短縮することができる。
【００６８】
なお、本システムでは、速度が１０ｋｍ／ｈ以上に達した場合に、ＣＰＵ１０が、全方位カメラ１の動作を停止させるとしたが、全方位カメラ１の動作を停止させるタイミングはこれに限るものではない。例えば、他の速度（例えば８ｋｍ／ｈや１２ｋｍ／ｈなど）に達したときに、全方位カメラ１の動作を停止させるように設定してもよい。あるいは、パーキングブレーキが解除された時に、全方位カメラ１の動作を停止させるようにしてもよい。この場合、運転者は、全方位カメラ１によって撮影した画像に基づいて周囲の状況を把握した後、パーキングブレーキを解除して車両を発進させればよい。あるいは、シフトレバーがドライブ位置に入れられた時に、全方位カメラ１の動作を停止させるようにしてもよい。この場合、運転者は、全方位カメラ１によって撮影した画像に基づいて周囲の状況を把握した後、シフトレバーをドライブに入れて車両を発進させればよい。
【００６９】
また、運転者からの指示を受け付ける入力部（図示せず）を設け、この入力部を介して、運転者が全方位カメラ１による撮影の終了指示を与えた場合に、全方位カメラ１の動作を停止させるようにしてもよい。このような入力部としては、例えば、液晶パネル７を兼用することができる。つまり、液晶パネル７に運転者による入力が可能な項目を表示し、運転者が、所望する項目が表示されている表示領域に触れることにより、本システムに指示を与えるようにしてもよい。あるいは、本システム専用の入力部として、例えばキー入力装置やマウスなどを別途備えてもよい。また、オーディオシステムやナビゲーションシステムを備えている場合には、それらの入力部（操作部）を兼用するようにしてもよい。また、ドアミラー（フェンダーミラー）の角度等を電動で調整できるシステムを備える場合、これらの操作手段を兼用してもよい。
【００７０】
また、入力部を備える場合、運転者が、入力部を介して、本システムの起動・停止、画像表示の一時停止、ズーム（拡大表示）などの指示を行えるようにしてもよい。また、例えば、運転者が、入力部を介して、本システムの起動タイミング、発進作業が完了したと判断する速度などの、本システムに対する各種設定を行えるようにしてもよい。
【００７１】
また、本システムでは、全方位カメラ１によって撮影した画像データを、フレームメモリ１１に記憶させるが、この際、最新のデータのみを記憶するようにしてもよい。つまり、フレームメモリ１１において、前回の画像データを消去し、今回の画像データのみを記憶させるようにしてもよい。これにより、フレームメモリ１１の容量を削減することができる。
【００７２】
また、本システムでは、全方位カメラ１として、全方位を瞬時に撮影可能なものを用いているが、これに限るものではない。例えば、地表面に垂直な方向を回転軸としてカメラを回転させながら全方位を順次撮影していくものであってもよい。また、カメラの撮影方向を地表面に垂直な方向とし、当該カメラの撮影軸上に、当該カメラの撮影方向を軸として回転可能な反射板を、当該カメラの撮影軸に対して所定の傾斜角を有するように備え、この反射板が回転する際に反射板に写る画像を撮影するようにしてもよい。
【００７３】
また、全方位カメラ１の設置位置は、図７（ａ）および図７（ｂ）に示した位置に限るものではない。例えば、車両底部に全方位カメラ１を備えるようにしてもよい。この場合は、死角となりやすい車の下部周辺を全方位にわたり一つのカメラで撮影することが可能となる。また、全方位カメラ１は、例えば、車両内に格納されており、撮影時にのみ車両外部に露出して全方位の撮影が可能となるものであってもよい。
【００７４】
また、全方位カメラ１の構造は、図６を用いて説明したような構造に限るものではない。例えば、複数の標準レンズあるいは広角レンズを用いたカメラを、車両の異なる位置に備え、この複数のカメラによって全方位を撮影するようにしてもよい。この場合、複数のカメラとして標準レンズまたは広角レンズを用いたカメラ（例えば、ＣＣＤやＣＭＯＳイメージセンサ）を用いる。そして、これら複数のカメラによる撮影結果を組み合わせることにより、結果として全方位の撮影結果を運転者に提示できる。また、この場合、例えば、車両の左右前方および左右後方にそれぞれカメラを備えるようにしてもよい。これらの位置にカメラを備える場合、運転席から死角となる位置・方向を撮影しやすく、安全性をより向上させることができる。この場合の配置例を図８（ａ）および図８（ｂ）に示す。なお、図８（ａ）および（ｂ）に記載したカメラには標準レンズを用いている。
【００７５】
図８（ａ）の配置例では、前後左右の４方向を少なくとも撮影するために、前方助手席側の端部に前方を撮影するためのカメラ及び助手席側側方を撮影するためのカメラを備えている。また、前方運転席側の端部に運転席側側方を撮影するためのカメラを備えている。さらには、後方運転席側の端部に後方を撮影するカメラを備えている。
【００７６】
図８（ｂ）の配置例では、さらに詳細に全方位の画像を撮影すべく、図８（ａ）に比べてカメラの数を追加したものである。すなわち、図８（ａ）のように配置されたカメラに加えて、前方助手席側の端部に助手席側前方を撮影するカメラを設けている。また、前方運転席側の端部に前方の画像を撮影するカメラを配置している。このように、前方の画像を３台以上のカメラに分割して分担させることによって、死角なく撮影することが可能となる。
【００７７】
また、全方位カメラ１として、赤外線カメラを用いてもよい。あるいは、全方位カメラ１による撮影範囲を照らすための照明手段を備えていてもよい。これらの構成では、夜間の駐停車状態においても、車両周囲の状況を容易かつ確実に把握できる。
【００７８】
また、本システムでは、全方位カメラ１を用いて全方位の撮影を行うものとしたが、これに限るものではない。例えば、運転者から死角となる方向（例えば車両前方や、左右後方、後方などの、運転者が直接あるいはドアミラー、ルームミラー等を介して目視確認しにくい部分）を選択的に撮影するようにしてもよい。
【００７９】
また、運転者自身の好みや運転特性に合わせて、必要とする撮影方向を選択（カスタマイズ）できるようにしてもよい。この場合、運転者からの指示を受け付ける入力部を備えておくことが好ましい。
【００８０】
また、本システムでは、上記したように、アスペクト比が７：３以上という超ワイド画面を有する液晶パネル７を備えている。一方、従来、車両に搭載されているナビゲーションシステムやテレビ放送用の表示装置の多くが、アスペクト比４：３である。このため、本システムに搭載されるアスペクト比が７：３以上の液晶パネル７では、従来の表示装置のアスペクト比である４：３の表示領域を差し引いても、３：３の正方形状よりワイドな表示領域を残すことができる。そして、この正方形状よりワイドな表示領域に速度計を表示することができる。速度計は円形のものが最も視認し易いことから好んで用いられるが、残された表示領域が正方形状よりワイドであれば、アスペクト比の短い辺を十分に用いて大きく速度計を表示させることができる。したがって、速度計の視認性が良く、安全性を高く保つことが可能となる。
【００８１】
なお、近年はナビゲーションシステムについてはアスペクト比１５：９のものもある。このようなナビゲーションシステムを液晶パネル７で表示したい場合には、液晶パネル７のアスペクト比を２４：９以上にすればよい。また、同様に、テレビ放送では１６：９のものもあるが、このようなテレビ放送を液晶パネル７で表示したい場合には、液晶パネル７のアスペクト比を２５：９以上にすればよいことになる。一方、アスペクト比の上限値については、短辺側の表示サイズが所定値以上であり、解像度が所定値以上であれば、特に制限は無い。
【００８２】
また、短辺側の走査線が４６８ライン以上であることがさらに好ましい。この場合、短辺側の走査線にＷＱＶＧＡ（Wide Quarter Video Graphics Array；４００×２３４）を２段に表示できることから、ナビゲーションシステムの画像と車の後方画像といったように、複数の画像を表示させるときに、十分な視認性を確保しつつ表示することができる。
【００８３】
また、４００ライン以上の短辺側走査線を備える構成において、全方位カメラ１によって撮影した画像の長辺側を、液晶パネル７の短辺側と平行に表示するようにしてもよい。この場合、例えば、車両の側方を撮影した画像をＷＱＶＧＡの解像度（４００）で液晶パネル７の縦側（短辺側）に表示することにより、視認性が向上する。また、この構成では、既存のグラフィックチップを使用できるので、製造コストを低減できる。
【００８４】
また、４００ライン以上の短辺側走査線を備える構成において、全方位カメラ１によって撮影した画像の短辺側を、液晶パネル７の短辺側と平行に表示するようにしてもよい。この場合、例えば、車両の前方または後方を撮影した画像を、ＷＱＶＧＡの横解像度（４００）で液晶パネル７の横側（長辺側）に表示することにより、視認性が向上する。なお、全方位カメラ１によって撮影した画像の撮影方向に応じて、液晶パネル７に表示する画像の縦方向と横方向とを切り替えるようにしてもよい。
【００８５】
また、本システムにおいて、全方位カメラ１によって撮影した画像を表示する場合に、速度計やエンジン回転数計、燃料計などの表示方法を変更してもよい。例えば、これらの計器類を数字のみで表示したり、直線状のグラフで表示したりすることにより、視認性を確保した上で、これらの計器類の表示領域を削減してもよい。これにより、全方位カメラ１によって撮影した画像を表示できる領域が広がるので、運転者は車両周囲の状況をより的確に把握することができる。
【００８６】
また、全方位カメラ１によって撮影した画像の表示領域を可変とする場合、その表示領域の一辺（一端部）における表示ラインは、表示領域が変化しても一定の位置であることが好ましい。基準点を定めずに、ばらばらな位置に表示されると、表示画像のエッジ（端部）が動くことになるので、運転者の集中力を散漫させたり、視認性を低下させたりするおそれがある。そこで、表示領域を可変とする場合に、表示位置が移動しない基準点（表示領域の一辺）を定めることにより、不要な画像の揺らぎをなくし、運転者が快適に画像表示を確認できる液晶パネル７を実現できる。
【００８７】
また、本システムでは、走行に必要な計器類と、全方位カメラ１によって撮影した画像とを同一の液晶パネル７に表示するものとしたが、これに限るものではない。例えば、計器類を表示するための液晶パネルと、全方位カメラ１によって撮影した画像を表示する液晶パネルとを、それぞれ別々に設けてもよい。
【００８８】
また、本システムでは、表示手段として液晶パネル７を用いているが、これに限るものではない。全方位カメラ１による撮影結果を表示可能であればよく、例えば、有機ＥＬ（Electro Luminesence）パネルや、プラズマディスプレイパネル（Plasma Display Panel）、ＣＲＴ（Cathode Ray Tube）などを用いてもよい。
【００８９】
また、本システムにおいて、非常用の表示装置（フェールセーフシステム）をさらに設けてもよい。例えば、液晶パネル７が故障する場合や、低温のために反応速度が実用上好ましい速度に達しない場合などが考えられる。このような場合であっても、運転者が安全運転を継続するためには、速度計等が適切に表示される必要がある。そこで、本システムでは、透明ＥＬパネルからなる非常用表示装置（図示せず）を備えている。これにより、液晶パネル７が故障した場合や、表示不良が生じた場合であっても、非常用表示装置に速度計等を表示することにより、運転者は安全に運転を行うことができる。
【００９０】
また、本システムでは、速度計等の計器類と、全方位カメラ１によって撮影した画像とを同一の液晶パネル７に表示している。この場合、例えば、計器類の表示領域の輝度よりも他の表示領域の輝度が高くなりすぎた場合、計器類の視認性が低下する恐れがある。このような事態を避けるためには、他の表示領域における輝度が計器類の表示領域の輝度よりも高くならないようにすることが好ましい。そこで、例えば、他の表示領域の輝度が計器類の表示領域の輝度よりも高くなった場合に、他の表示領域の輝度を計器類の表示領域の輝度よりも下げればよい。あるいは、他の表示領域の輝度が、あらかじめ定めた閾値よりも高くならないように、他の表示領域における輝度を閾値以下に制限するようにしてもよい。
【００９１】
また、本システムでは、上記したように、駐停車状態からの発進時に、全方位カメラ１によって撮影した画像および速度計に加えて、自車の画像を含む車両状態を示す画像を液晶パネル７に表示するが、この際に表示する車両状態は、上記したドアの開閉に限るものではない。当該車両に各種車内センサを搭載し、これらのセンサによる検知結果に基づいて自車の状態を検出して表示するようにしてもよい。この場合、各種車内センサの検出結果に応じて、画像用ＤＢにあらかじめ記録されたグラフィック画像を選択し、表示するようにしてもよい。
【００９２】
このような車内センサとしては、上記したイグニッション指示検知センサ２、速度センサ３、ドア開閉センサ４、パーキングブレーキセンサ５の他、例えば、各タイヤの空気圧を検知するためのタイヤ空気圧検知センサ、車内の温度を計測する車内温度センサ、車外の温度を計測する車外温度センサ、窓からの突出物（例えば、添乗者の手足など）の有無を検知する突出物センサ、ブレーキランプや方向指示器、ヘッドランプ等の灯火類の点灯可否状態を検出する灯火類センサ、燃料の残量を検出する燃料センサ、シートベルトの装着状態を検出するシートベルト装着センサ、ハンドルの操舵角を検知するステアリングセンサ、シフト位置を検知するシフト位置センサ、ブレーキオイルやエンジン冷却水、パワーステアリング用オイル、バッテリー液、ウォッシャー液などの各種液類の残量を検知する各種残量センサ、エンジンオイルの劣化度を検知するオイル劣化センサ、タイヤ溝の残量を検出するタイヤ消耗センサ、ブレーキパッドの磨耗状態を検知するブレーキパッド磨耗センサ、電気配線系統の異常の有無を検知する電気系統異常検知センサ、バッテリーの充電量を検知するバッテリーセンサ、当該車両と周囲の障害物（例えば、隣接して駐停車されている車両や壁など）との距離を測定する距離センサ（対物センサ）、当該車両の向いている方位を検出する方位センサ（いずれも図示せず）などを含むことができる。すなわち、当該車両の内部および近接部における状態を検知するあらゆるセンサを含むことができる。
【００９３】
なお、上記各センサによる車体状況の検出のタイミングは、特に限定されるものではない。各センサの特性に合わせて、発進時に運転者が検出結果を確認できるように、検出を行うタイミングを決めればよい。例えば、イグニッションキーがＯＮにされるのと同期させてもよく、ドアの開閉やドアの開錠に同期させてもよい。
【００９４】
また、例えば、上記方位センサの検出結果に応じて、表示する自車の方向を変更するようにしてもよい。
【００９５】
また、上記各センサの検出結果のうち、ＣＰＵ１０が、走行に支障を生じさせるおそれがあると判断した情報のみを液晶パネル７に表示するようにしてもよい。この場合、例えば、上記各センサの検出結果の許容値を記録したデータベース（図示せず）を設け、ＣＰＵ１０が上記各センサの検出値と、データベースに記録された上記各センサの検出結果に対する許容値とを比較することにより、走行に支障を生じさせるおそれがあるか否かを判断するようにしてもよい。
【００９６】
また、走行に支障を生じさせるおそれがあると判断した情報を液晶パネル７に表示する場合、例えば運転者による対処により、走行に支障を生じさせるおそれが解消した場合に、その表示を消去するようにしてもよい。
【００９７】
また、障害物がある場合には液晶パネル７に警告を表示するようにしてもよい。また、音声出力装置を別に備え、音声により警告を報知するようにしてもよい。更には、障害物に関する画像をデジタル処理して拡大表示する拡大処理部を設け、障害物を拡大表示することによって注意を促す様にしてもよい。
【００９８】
また、例えば、上記ステアリングセンサと、上記距離センサとを備える構成において、ハンドル操舵角と当該車両の回転半径との関係や、当該車両の形状などを記録したデータベースをさらに設けてもよい。そして、ＣＰＵ１０が、上記ステアリングセンサおよび上記距離センサの検出結果と上記データベースとに基づいて、障害物等に接触せずに車を発進させるための適切なハンドル操作量（操舵角）を演算し、運転者に対して適切なハンドル操舵角を提示できるようにしてもよい。また、操舵角の提示において、ステアリングの操作方向を示唆する画像を表示するようにしてもよい。
【００９９】
あるいは、上記ステアリングセンサと、ハンドル操舵角と当該車両の回転半径との関係などを記録したデータベースとを備え、ＣＰＵ１０が、上記ステアリングセンサの検出結果と上記データベースと全方位カメラ１による撮影結果とに基づいて、障害物に接触せずに車を発進させるための適切なハンドル操作量（操舵角）を演算し、運転者に対して適切なハンドル操舵角を提示できるようにしてもよい。
【０１００】
これらの構成では、ＣＰＵ１０は、上記各センサの検出結果や全方位カメラ１による撮影結果を把握する車体状況確認手段、および、上記各センサの検出結果および全方位カメラ１による撮影結果に、走行に支障を生じさせるおそれがある要素が含まれるか否かを判断する車体状況判定手段として機能することになる。
【０１０１】
また、ＣＰＵ１０が、上記対物センサの検知結果および全方位カメラ１で撮影した画像から自車の状況を検出し、この検出結果に基づいて、自車の車両状態を示す画像を選択して表示するようにしてもよい。また、上記対物センサと全方位カメラ１で撮影した画像から、主要道路（当該車両の駐停車位置に面している道路のうち、最も道幅が広い部分）に対する自車の向きを検出し、その向きに合わせて自車の画像を表示するようにしてもよい。
【０１０２】
また、本システムにおいて、走行に支障を生じさせるおそれがある要素が検出された場合に、その対処方法をアドバイスするためのアニメーション画像を、液晶パネル７に表示するようにしてもよい。この場合、走行に支障を生じさせるおそれがある要素として検出される可能性がある項目と、それらに対する対象方法をあらかじめ記録したデータベース（図示せず）を備えるようにしてもよい。
【０１０３】
これにより、走行に支障を生じさせるおそれがある要素が検出された場合でも、運転者がその要素に対して容易かつ適切に対処できる。例えば、タイヤの空気圧が異常に低下している場合に、非常用三角掲示板の設置方法や、スペアタイヤやタイヤ交換用工具の格納位置、工具の使用方法、タイヤの交換作業手順などを説明するためのアニメーション画像を表示するようにしてもよい。
【０１０４】
また、車両状態を示す情報として、ＣＰＵ１０が、全方位カメラ１によって撮影された画像データをもとに、車両周囲の状況を認識し、認識した状況に適した画像データを画像用ＤＢから選択して自車の画像とともに表示するようにしてもよい。例えば、車両周囲に障害物などがある場合、これらの障害物の形状を認識し、類似した画像を画像用ＤＢから選択して表示してもよい。
【０１０５】
また、本システムでは、当該車両における車両状態を、自車の画像を含めて表示するようになっている。しかしながら、本システムの構成は、これに限るものではない。例えば、上記各センサによる検出結果を、それぞれ単独で表示するようにしてもよい。ただし、自車の画像を含めて表示することにより、走行に支障を生じさせるおそれがある要素が当該車両のどこで発生しているのかを、運転者が確実かつ迅速に把握できるので好ましい。また、速度計と離れた位置に表示するようにしてもよい。
【０１０６】
また、本システムでは、当該車両における車両状態を、自車の画像を含めて、速度計に近接する位置に表示するようになっているが、これに限るものではない。ただし、速度計に近接する位置に表示することにより、運転者は、複数の位置に視線を移すことなく車両状態を確認できるので、運転者にかかる負担を軽減でき、また、見落としを防止することができる。
【０１０７】
また、自車および車両状態を示すグラフィック画像を記録した画像用ＤＢに対して、データの追加、修正を行えるようしてもよい。この場合、例えば、車体の塗装や改造を行った場合に、自車の画像を変更することが可能である。なお、この場合の変更方法としては、通信回線からダウンロードしたデータを用いてもよく、外部メモリから読み込むようにしてもよく、本システムに大容量のＨＤ（ハードディスク）を備えておき、このＨＤにあらかじめ記録されているデータの中から選択するようにしてもよい。
【０１０８】
また、本システムは、上記した構成に加えて、スピーカー（音声出力手段）を備えていてもよい。この場合、例えば、液晶パネル７に表示している画像の撮影方向を、音声で知らせるようにしてもよい。
【０１０９】
また、上記したように、本システムを、走行に支障を生じさせるおそれがある要素を検出できる構成とする場合、走行に支障を生じさせるおそれがある要素を、液晶パネル７への表示に加えて、スピーカーを介して音声でも通知するようにしてもよい。この場合、例えば、スピーカーから警告音を発するようにしてもよく、あるいは、走行に支障を生じさせるおそれがあると判定された要素の存在位置や注意すべき事項を音声で通知するようにしてもよい。
【０１１０】
また、本システムに、インターネット等の通信回線と接続可能な通信装置を備えてもよい。この場合、例えば、運転者が、駐停車状態から車両を発車させる前に、目的地に関する情報を確認することも可能である。例えば、映画館に行く場合、上映中の映画の内容を事前に確認したり、映画館までの渋滞情報を調べたりすることも可能である。また、チケットの購入や座席の予約を行うことも可能である。あるいは、飲食店の予約を行ったり、その店のメニューを検索してオーダーを行ったりすることも可能である。
【０１１１】
また、本システムによって、パーソナルコンピュータ用の各種アプリケーションソフトを実行できるようにしてもよい。この場合、本システムを用いて、ネットワークミーティングを行うことも可能である。すなわち、液晶パネル７は、パーソナルコンピュータ用モニタとして用いることもできる。なお、本システムによって各種アプリケーションソフトの実行を行えるようにする場合、例えば、液晶パネル７のフル画面（全表示領域）に各種アプリケーションを表示できるようにしてもよい。
【０１１２】
また、本システムを通信可能な構成とする場合、本システムの起動などの指示を、通信回線を利用して行うことも可能である。また、全方位カメラ１によって撮影した画像データを、通信回線を利用して外部へ送信可能としてもよい。この場合、車両から離れた位置から本システムを起動させて、車両周囲の画像を撮影し、その画像を車両から離れた場所で確認するといった利用方法も可能である。
【０１１３】
また、本システムにおいて、液晶パネル７に表示する各項目のデザインを、運転者がカスタマイズできるようにしてもよい。例えば、速度計やエンジン回転数計、燃料計などの大きさ、形状、色、配置位置（表示位置）を変更可能としてもよい。ただし、例えば速度計などの安全運転上重要な表示項目は、必要な視認性を確保するために、あらかじめ定めた条件の範囲内で変更可能とすることが好ましい。このため、例えば、各表示項目に応じた変更可能範囲を記録したデータベース（図示せず）を備えるようにしてもよい。あるいは、通信可能な構成とする場合であれば、サーバー上にこのようなデータベースを設けてもよい。そして、例えば、運転者が変更可能範囲内で好みの表示内容を選択できるようにしてもよい。あるいは、運転者の指示が変更可能範囲を超えていた場合に、変更可能範囲内となるように運転者の指示を補正するようにしてもよい。
【０１１４】
また、上記の説明では、本システムの電源として、エンジン起動用のバッテリーを用いるとしたが、これに限らず、本システムに対する電源供給手段を適宜変更してもよい。例えば、本システム専用の電源供給手段を備えるようにしてもよい。
【０１１５】
また、本システムは、車両に搭載されるものとしたが、本明細書における車両とは、自動車のほか、自動二輪車、自転車など、移動のために運転者による操縦を必要とする陸上移動手段全般を含む。また、本システムは、車両に限らず、例えばヘリコプターや航空機、船舶など、移動のために運転者による操縦を必要とするあらゆる移動手段に適用することができる。
【０１１６】
また、本システムは、駐停車状態（停止状態）からの発進時に、車両周囲の状況を運転者に提示するものであるとしたが、これに限るものではない。例えば、車両等を駐停車させる際に、全方位カメラ１によって撮影した画像を運転者に提示するようにしてもよい。あるいは、運転者からの指示があった場合に、全方位カメラ１によって撮影した画像を運転者に提示するようにしてもよい。
【０１１７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１１８】
例えば、本システムの制御部６は、ハードウェアロジックによって構成してもよいし、次のようにＣＰＵを用いてソフトウェアによって実現してもよい。
【０１１９】
すなわち、本システムは、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである本システムの制御プログラムのプログラムコード（実行形式プログラム、中間コードプログラム、ソースプログラム）をコンピュータで読み取り可能に記録した記録媒体を、本システムに供給し、そのコンピュータ（またはＣＰＵやＭＰＵ）が記録媒体に記録されているプログラムコードを読み出し実行することによっても、達成可能である。
【０１２０】
上記記録媒体としては、例えば、磁気テープやカセットテープ等のテープ系、フレキシブルディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２１】
また、本システムを通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。
【産業上の利用可能性】
【０１２２】
本発明の周囲状況提示システムおよび周囲状況提示方法は、自動車、自動二輪車、自転車、ヘリコプター、航空機、船舶など、移動のために運転者による操縦を必要とする、あらゆる移動手段に適用することができる。
【図面の簡単な説明】
【０１２３】
【図１】本発明の一実施の形態にかかる駐停車状況提示システムの構成を示すブロック図である。
【図２】本発明の一実施の形態にかかる駐停車状況提示システムに搭載される液晶パネルの、表示画像の一例を示す説明図である。
【図３】本発明の一実施の形態にかかる駐停車状況提示システムにおける処理の一例を示すフロー図である。
【図４】本発明の一実施の形態にかかる駐停車状況提示システムにおける処理の他の例を示すフロー図である。
【図５】本発明の一実施の形態にかかる駐停車状況提示システムにおける処理のさらに他の例を示すフロー図である。
【図６】本発明の一実施の形態にかかる駐停車状況提示システムに備えられる全方位カメラの構成例を示す図である。
【図７（ａ）】本発明の一実施の形態にかかる駐停車状況提示システムに備えられる全方位カメラの、搭載位置の一例を示す説明図である。
【図７（ｂ）】本発明の一実施の形態にかかる駐停車状況提示システムに備えられる全方位カメラの、搭載位置の他の例を示す説明図である。
【図８（ａ）】本発明の一実施の形態にかかる駐停車状況提示システムに備えられる全方位カメラの、搭載位置のさらに他の例を示す説明図である。
【図８（ｂ）】本発明の一実施の形態にかかる駐停車状況提示システムに備えられる全方位カメラの、搭載位置のさらに他の例を示す説明図である。
【図１】
2007519549.tif 000003
【図２】
2007519549.tif 000004
【図３】
2007519549.tif 000005
【図４】
2007519549.tif 000006
【図５】
2007519549.tif 000007
【図６】
2007519549.tif 000008
【図７（ａ）】
2007519549.tif 000009
【図７（ｂ）】
2007519549.tif 000010
【図８（ａ）】
2007519549.tif 000011
【図８（ｂ）】
2007519549.tif 000012
【国際調査報告】
2007519549.tif 000013